(57)【要約】【課題】便座への使用者の着座を高い精度で確実に検出し、或いはまた便座からの使用者の離座を精度高く確実に検出することのできる着座検出装置を提供する。【解決手段】  便座への着座を検出する着座検出装置を、ドップラセンサ２８と便蓋位置検出手段と制御手段とを備えて構成する。そして便蓋位置検出手段からの便蓋開情報とドップラセンサ２８からのドップラ信号とに基づいて、制御手段が便座への使用者の着座を検出する。またドップラセンサ２８からの信号により使用者の接近か離反かの移動方向を判別する移動方向判別手段４６，５０及び４８，５２と、設定レベル以上の信号強度のドップラ信号の波数をカウントするカウント手段とを更に備えておき、制御手段が便蓋開情報と移動方向判別手段及びカウント手段からの情報とに基づいて便座への着座検出を行う。【選択図】        図２
2005081033.tif 000002
【特許請求の範囲】
【請求項１】
便座への着座を検出する着座検出装置であって、
ドップラセンサと、便蓋位置検出手段と、該便蓋位置検出手段からの便蓋開情報と該ドップラセンサからのドップラ信号とに基づいて制御手段が前記便座への使用者の着座を検出することを特徴とする便器の着座検出装置。
【請求項２】
請求項１において、前記ドップラセンサからのドップラ信号により使用者の接近か離反かの移動方向を判別する移動方向判別手段と、設定レベル以上の信号強度のドップラ信号の波数をカウントするカウント手段とを更に備え、前記制御手段は、前記便蓋開情報と前記移動方向判別手段及びカウント手段からの情報とに基づいて前記便座への着座検出を行うことを特徴とする便器の着座検出装置。
【請求項３】
請求項２において、前記制御手段は、前記便蓋開情報を得てからの前記接近方向の合計のカウント値が設定した基準値を超えたことをもって着座有りと判定することを特徴とする便器の着座検出装置。
【請求項４】
請求項２，３の何れかにおいて、前記便蓋開情報の下に、前記ドップラセンサによる検知の感度を低く切り替えることを特徴とする便器の着座検出装置。
【発明の詳細な説明】
【技術分野】
【０００１】
この発明は便器の使用者の便座への着座を検出する着座検出装置に関し、詳しくはドップラセンサを用いた便器の着座検出装置に関する。
【背景技術】
【０００２】
従来より、トイレに設置された便器（洋風便器）において、使用者が便座に着座したか否かを着座検出装置によって検出することが行われている。
そのための着座検出装置として、従来赤外線式センサにて人体感知するものが用いられていた。
【０００３】
しかしながらこの赤外線式センサを用いた着座検出装置は、使用者が便座上の検知エリアにいるときに、その使用者によって反射された反射光の受光に基づいて着座検知するものであり、前後の一連の使用者の動きを追跡して着座検知するものではなく、単に反射光量の大小に基づいて着座の有無を判断するにすぎないものであることから、検出精度の点で必ずしも十分でないといった問題があった。
例えば使用者の着ている服の色等によっても反射光量は変化してしまう。
【０００４】
またこの種赤外線式センサを用いた着座検出装置では、洗浄タンクその他の箇所に透光性の窓部を設けて、その窓部に望むように赤外線式センサを埋設することが必要であり、この窓部によって洗浄タンクその他便器周りの美感が損なわれたり、或いは便器その他のデザインの自由度が制限されるといった問題があった。
【０００５】
このようなことから、近年ドップラセンサによる人体検知に基づいて着座を検出するようになしたものが提案されている（例えば下記特許文献１，特許文献２）。
ドップラセンサの場合、電波が透過する樹脂製品や木製品の内部にこれを隠れた状態で設置しておくことが可能である。
【０００６】
しかしながらこれら特許文献に開示のものは、着座前後におけるドップラ信号の振幅の変化や、信号強度の変化に基づいて着座の有無を判断するものであり、着座の検知制度の点でなお十分とは言えないものであった。
【０００７】
【特許文献１】特開２００２−７０１１９号公報
【特許文献２】特開２００２−２８５６２４号公報
【発明の開示】
【発明が解決しようとする課題】
【０００８】
本発明はこのような事情を背景とし、便座への使用者の着座を高い精度で確実に検出し、或いはまた便座からの使用者の離座を精度高く確実に検出することのできる着座検出装置を提供することを目的としてなされたものである。
【課題を解決するための手段】
【０００９】
而して請求項１のものは、便座への着座を検出する着座検出装置であって、ドップラセンサと、便蓋位置検出手段と、該便蓋位置検出手段からの便蓋開情報と該ドップラセンサからのドップラ信号とに基づいて制御手段が前記便座への使用者の着座を検出することを特徴とする。
【００１０】
請求項２のものは、請求項１において、前記ドップラセンサからのドップラ信号により使用者の接近か離反かの移動方向を判別する移動方向判別手段と、設定レベル以上の信号強度のドップラ信号の波数をカウントするカウント手段とを更に備え、前記制御手段は、前記便蓋開情報と前記移動方向判別手段及びカウント手段からの情報とに基づいて前記便座への着座検出を行うことを特徴とする。
【００１１】
請求項３のものは、請求項２において、前記制御手段は、前記便蓋開情報を得てからの前記接近方向の合計のカウント値が設定した基準値を超えたことをもって着座有りと判定することを特徴とする。
【００１２】
請求項４のものは、請求項２，３の何れかにおいて、前記便蓋開情報の下に、前記ドップラセンサによる検知の感度を低く切り替えることを特徴とする。
【発明の作用・効果】
【００１３】
以上のように本発明は、便蓋位置検出手段からの便蓋開情報とドップラセンサからのドップラ信号とに基づいて便座への使用者の着座を検出するものである。
便蓋が開いたことを知らせる便蓋開情報は、とりも直さず便器の使用者が便器に接近して便器前方に立ったことを意味するものであり、従ってこの便蓋開情報に基づき、その後のドップラセンサからのドップラ信号に基づいて便座への使用者の着座を精度高く検出できるようになる。
【００１４】
即ち従来のドップラセンサを用いた着座検出装置は、単にドップラセンサからのドップラ信号のみに基づいて着座の有無を判定していたのが、本発明では便座開情報とドップラセンサからのドップラ信号を組み合せて着座の有無を判定するもので、従来に増して高い精度で便座への使用者の着座を検出することが可能となる。
例えば女性がストッキング履き替え等の行為をする際に便蓋に着座していると、従来着座検出装置によれば着座ありと判定されてしまうが、本発明の着座検出装置によればこのような誤検知を防止することが可能となる。
而して着座検出を高い精度で行えることから便器の自動洗浄等の機器制御の精度も高くすることができる。
【００１５】
次に請求項２は、ドップラセンサからのドップラ信号により使用者の接近か離反かの移動方向を判別する移動方向判別手段と、設定レベル以上の信号強度のドップラ信号の波数をカウントするカウント手段とを更に備え、それら移動方向判別手段及びカウント手段からの情報と便蓋開情報とに基づいて着座検出を行うようになしたもので、この請求項２によれば、便座への使用者の着座を更に精度高く検出することが可能となる。
【００１６】
ここでドップラ信号は、受信部で受信された送信波と、移動する検知対象からの反射波との重ね合せによって生ずる低周波のうなりの波であり（送信波と反射波とは周波数が極めて近いために重ね合せによってうなりの波を発生する）、このドップラ信号の周波数は、例えば送信波の周波数が１０ＧＨｚ程度の極めて高い周波数であるのに対し、３〜７０Ｈｚ程度の極めて低い周波数である。
【００１７】
ここで送信波の波長が例えば２．８ｃｍ程度の波長であるとき、１波長を位相の変化で考えると、位相が３６０度変化するのに２．８ｃｍ必要であることになる。一方ドップラ信号は送信波と反射波の位相差がその出力に現われるため、反射波の位相が３６０度変化すればドップラ信号の位相も３６０度変化することになる。
即ち、ドップラ信号が１波長発生するということは反射波の移動距離が２．８ｃｍ分変化したこと、言い換えれば使用者が１．４ｃｍ移動したことと等しい。
従ってドップラ信号の波数をカウントする（数える）ことによって、検知対象である使用者の移動距離を知ることができる。
そして移動方向判別手段からの移動方向の情報、詳しくは使用者が接近移動しているのか離反移動しているのかの情報と組み合わせることによって検知対象、即ち使用者の移動距離を正確に検知することができる。
【００１８】
具体的には、例えばドップラセンサを便座への使用者の着座位置の後方に設置しておいた場合、便座開となった後の接近方向のカウント数が増えるということは、とりも直さず使用者が便器前方の位置からドップラセンサにより近付いた、即ち着座位置に向ったことを意味するものであり、従ってそのカウント手段によるカウント値と、移動方向判別手段からの情報とに基づいて、使用者が便座に着座したか否かを正確に検出することが可能となる。
【００１９】
また一方、その着座位置から使用者が立ち上がって離れて行くときには、その動きを移動方向判別手段によって知ることができるとともに、離れて行く距離をカウント手段によるカウント値に基づいて知ることができ、これに基づいて使用者が便座から離座したことを知ることができる。
【００２０】
この場合において、便蓋開情報を得てからの前記接近方向の合計のカウント値が設定した基準値を超えたことをもって、着座有りと判定することができる（請求項３）。
このようにしておくことによって、使用者が便器前方の立姿勢の位置から僅かに動いたことをもって直ちに着座有りと判定してしまうといった誤りを犯すことなく、着座に必要な移動距離を予め求めておき、それに基づいて基準値を定めておくことで、確実に着座したか否かを判定することが可能となる。
【００２１】
また着座中に使用者が便座の上で動いても、カウント値を加算，減算することにより、カウント値がプラス側の基準値或いはマイナス側の基準値を超えなければ、依然として着座中であると判定することができる。
【００２２】
次に請求項４は、便蓋開状態の下でドップラセンサによる人体、つまり使用者の検知の感度を低く切り替えるものである。
その理由は次の点にある。
ドップラセンサからのドップラ信号は、使用者がドップラセンサに近付けば近付く程振幅は大となり、信号強度は大きくなる。
この場合、便蓋開状態の下でもドップラセンサによる検知の感度をそれまでの検知の感度、即ち便器への接近或いは便器からの離反を検知する際の検知の感度と同じ感度に維持しておくと、便座への使用者の着座の動き或いは着座中の動き、更には便座から立ち上がる際の動きによって発生するドップラ信号の振幅，信号強度が強過ぎて、大きな動きも小さな動きも区別がつきにくくなり、ひいては便座上などでの使用者の動きを正しく把握できなくなってしまう。
【００２３】
そこでこの請求項４では、便座に使用者がまさしく着座し或いは便座から立ち上がろうとする動き、更には便座上での使用者の動きを正しく把握すべく、それまでよりもドップラセンサによる検知の感度を低くするもの、いわば検知エリアを便座上のエリアにエリア切替えするものであり、このことによって便座開後における使用者の動きを正確に把握し認識できるようになる。
これによって誤った着座検出に基づき様々な機器を誤動作させてしまうといったことを未然に防ぐことができる。
【発明を実施するための最良の形態】
【００２４】
次に本発明の実施形態を図面に基づいて詳しく説明する。
図１において、１０はトイレ室１２内に設置された洋風便器で、１４は便器本体、１６，１８はそれぞれ開閉可能な便座及び便蓋、２０は便器洗浄水を貯える洗浄タンクである。
この例の洗浄タンク２０は、樹脂製のタンクカバー２２と内部タンク（図示省略）とを有しており、洗浄水を貯えた内部タンクをタンクカバー２２で覆った形態をなしている。
【００２５】
この例の洋風便器１０は、洗浄ノズル２３から洗浄水をシャワー噴射して人体局部を洗浄する局部洗浄装置付きのもので、壁Ｗに各種機器、具体的には図３に示す便蓋開閉モータ２４-１，便座開閉モータ２４-２，便器洗浄機構２４-３，シャワーバルブ２４-４，便座ヒータ２４-５，脱臭ファン２４-６，温水ヒータ２４-７等の各種機器を遠隔操作するためのリモコン２６が取り付けられている。
【００２６】
この例の洋風便器１０はまた、人体検知即ち使用者の検知に基づいて自動的に便蓋１８を開閉動作させ、また便座１６を閉動作させる機能を有するもので、タンクカバー２２の内側の隠れた位置に使用者検知のためのドップラセンサ２８を含むドップラセンサユニット（以下センサユニット）２９及びドップラセンサ２８からの信号に基づいて各種制御を行うマイコン３０を搭載した基板３２が設けられている（図２，図３参照）。
尚ドップラセンサ２８は、これから発するビームが便器から見て正面方向を向くようにその取付けの向きが選ばれている。
【００２７】
通常、ドップラセンサとしては送信周波数と反射波の受信周波数との差の周波数を出力するものが用いられるが、ここではかかるドップラセンサ２８として２出力センサ、即ち使用者で反射された反射波を受信する第１受信部と第２受信部とを有し、第１受信部を基準としたときに第２受信部からのドップラ信号が、使用者が接近する場合と離反する場合とで逆転する（逆位相となる）ことを利用したもの、即ち接近と離反とで逆位相の信号を出力する２出力式センサが用いられている。
【００２８】
図４はこのドップラセンサ２８を模式的に表している。
同図において３４は発振器で、アンテナ３６（送信部）から検知対象３８（ここでは使用者）に向けてマイクロ波（ここでは１０ＧＨｚ程度の高周波数の送信波）が送信される。
４０，４２は第１受信部及び第２受信部で、検知対象３８からの反射波が共通のアンテナ３６を通じて、これら第１受信部４０と第２受信部４２とで受信される。
【００２９】
ここで第２受信部４２は、第１受信部４０に対し、発振器からの発振波の波長のλ／４（π／２）分だけ検知対象３８から遠い側（図中右側）に位置をずらせて配置してある（λ：波長）。
但しこの例において、第１受信部４０と第２受信部４２とは導線４３で連絡されており、この導線４３を通じて第２受信部４２で受信されるドップラ信号が、第１受信部４０に対して丁度λ／４分だけ位相がずれた状態となるように、その第２受信部４２の第１受信部４０に対する相対位置が選ばれている。
但し第２受信部４２は、第１受信部４０に対して±λ／４＋ｎ・λ（ｎ＝０，±１，±２，±３・・・）ずらしておけば良い。
尚図４において４１は位相差を与えるための位相器である。
【００３０】
この例において、アンテナ３６は送信用のアンテナと受信用のアンテナとを共通のアンテナが兼用している。
またこのアンテナ３６は、ここから発せられる送信波のビームの放射角が、上下方向に大きく左右方向に小さい楕円形のビームとなるように、パターンアンテナの素子３９（図５参照）が配置されている。
【００３１】
このように縦長の楕円形でビームを正面方向に照射するようにしているのは、出入口の左右の可動物（人以外の可動物）をできるだけ検知エリアから外す一方、使用者が大人であっても子供であっても、また背の高い人であっても小さい人であっても確実に検知できるようにするためである。
【００３２】
前記送信部としてのアンテナ３６からの送信波は、これら第１受信部４０，第２受信部４２にも直接受信される。
具体的には、ここでは発振器３４からの発振波が直接第１受信部４０，第２受信部４２にも受信される。
【００３３】
このドップラセンサ２８では、これら第１受信部４０，第２受信部４２にて受信された送信波と反射波とが、それぞれミキサ４４-１，４４-２によって重ね合わせ処理され、それらの重ね合せによって生じた低周波のうなりの波がドップラ信号として取り出される。
【００３４】
これらミキサ４４-１，４４-２から出力された第１受信部４０，第２受信部４２からのドップラ信号は、それぞれ図２のセンサユニット２９における低周波アンプ４６，４８に通され、使用者を検出する以外の不要な周波数成分（例えば換気扇等の影響）を除去して出力される。
【００３５】
第１受信部４０を通じて取り出されたドップラ信号（受信部１信号）と、第２受信部４２を通じて取り出されたドップラ信号（受信部２信号）とは、図６（イ），（ロ），（ハ）に示しているようにその波形が丁度λ／４（λ：波長）だけ位相がずれた波形となる。
詳しくは、（イ）に示す受信部１信号の波形に対し（ロ），（ハ）に示す受信部２信号の波形がλ／４分だけ位相が進み或いは遅れた波形となる。
【００３６】
この受信部２信号の波形は、（ロ），（ハ）に示すように検知対象（使用者）３８が接近する場合と離反する場合とで丁度反転した波形となる。
本例では、この受信部２信号の波形に基づいて使用者が接近移動しているのか、離反移動しているのか、即ちその移動方向を判別する。
【００３７】
その移動方向の判別はここでは次のようにして行う。
即ちこの例では、受信部１信号及び受信部２信号はそれぞれ図２のセンサユニット２９におけるコンパレータ５０，５２によって信号処理され、ぞれぞれ図６（ニ），（ホ），（ヘ）に示す矩形波に波形変換される。
尚各矩形波は、図６（イ），（ロ），（ハ）に示す正弦波のピークが設定した第１レベル（しきい値）を超えたときに生ずる。
【００３８】
そして図２及び図６（ニ），（ホ），（ヘ）に示すように、それら矩形波がコンパレータ５０，コンパレータ５２からカウント出力Ａ，カウント出力Ｂ１，Ｂ２（Ｂ１：接近時カウント出力Ｂ，Ｂ２：離反時カウント出力Ｂ）として出力され、図３に示すマイコンへと入力される。
そしてマイコン３０は、次のようにして使用者が接近移動しているのか離反移動しているのかの移動方向の判定を行う。
【００３９】
図６（イ），（ロ），（ハ）に示しているように、受信部１信号の波形がマイナスレベルにあるとき、接近時の受信部２信号は、（ロ）に示しているように立上り波形となり、また逆に離反時における受信部２信号は、（ハ）に示しているように立下り波形となる。
【００４０】
従ってこれらをコンパレータ５０，５２にて矩形波に波形変換した信号は、（ニ），（ホ），（ヘ）に示しているようにカウント出力ＡがＬレベルであるときに、カウント出力Ｂ１がＬ→Ｈレベルに変化し、またカウント出力Ｂ２がＨ→Ｌレベルに変化する。
【００４１】
従ってカウント出力Ａ且つそのＬ信号を基準として、カウント出力Ｂの立上り信号又は立下り信号の出る回数をカウントすることによって、「ドップラ信号の波数」を知ることができる。
即ちカウント出力Ｂの立上り信号又は立下り信号の発生回数はそのまま「ドップラ信号の波数」ということになる。
【００４２】
そしてこのとき立上り信号の発生回数（カウント出力Ｂ１の立上り信号の発生回数）が使用者の接近方向の移動距離を表し、また立下り信号の発生回数（カウント出力Ｂ２の立下り信号の発生回数）が離反方向の移動距離を表すことになる。
【００４３】
従って立上り信号の発生回数と立下り信号の発生回数とを加減算した結果の波数は、接近及び離反移動の距離を加減算した結果の、全体の接近方向又は離反方向の移動距離を表すことになる。
マイコン３０は以上のような演算処理を行って、使用者の最終的な移動距離及び方向を判別する。
【００４４】
受信部１信号はまた、図２に示しているように低周波アンプ５４及びコンパレータ５６によって信号処理され、図７（Ａ）に示すような矩形波（レベル出力Ａ）に変換される。
低周波アンプ５４は、低周波アンプ４６，４８に比べてその感度が低くされており、従って受信部１信号の波形が上記第１レベルよりも高いレベルに設定された第２レベル以上の信号強度となったときにのみ、図７（Ａ）に示す矩形波、即ちそのＨレベル信号が出力される（そのようにしきい値が設定されている）。
【００４５】
この図７（Ａ）に示す波形のレベル出力Ａは、使用者がドップラセンサ２８に対して正面方向から接近せず、側方から接近したときにこれを検知するためのもので、このレベル出力Ａは常時マイコン３０へと入力されるようになっている。
【００４６】
一方受信部２信号は、更に高感度の低周波アンプ５８及びコンパレータ６０にて信号処理され、図７（Ｂ）に示す矩形波（レベル出力Ｂ）に波形変換される。
この高感度の低周波アンプ５８を通って出力された図７（Ｂ）のレベル出力Ｂは、便座１６が開動作したときに便器の直前位置に立っている使用者の僅かな動きを検知するためのもので、このレベル出力Ｂもまた、常時マイコン３０へと入力されるようになっている。
【００４７】
本例の洋風便器１０では、使用者が正面方向から接近して来ると、発生するドップラ信号の波数のカウント値に基づいてマイコン３０が便蓋１８を自動的に開動作させる。
また使用後において使用者が便器からその正面方向に立ち去ると、同じくドップラセンサ２８による検知に基づいて、即ちドップラ信号の波数カウント値に基づいて所定時間後に便蓋１８及び便座１６（便座１６が開いているとき）を閉動作させる。
【００４８】
また一方、トイレの出入口が便器の側面にあって、使用者が側方から接近したときにはレベル出力Ａに基づいて便蓋１８の開動作を行い、また使用後において使用者が立ち去ると所定時間後に便蓋１８及び便座１６を閉動作させる。
【００４９】
その制御内容が図８に具体的に示してある。
先ず使用者が便器に向って正面方向から接近すると、ステップＳ１０において移動方向の判別が行われるとともに、ステップＳ１２において発生するドップラ信号の波数、具体的には図６（ホ），（ヘ）に示す矩形波の立上り信号の発生回数或いは立下り信号の発生回数がカウントされる。
【００５０】
このとき接近方向のカウント値をプラス、離反方向のカウント値をマイナスとして、ステップＳ１４においてそれらの加減算が行われ、トータルとしてのカウント値Ｋが算出される。
このＫの値がプラスであれば全体として接近であり、またマイナスであれば全体として離反である。
【００５１】
そしてそのＫの値がカウント基準値ｎ（ｎ＝２０）を超えたときには（ステップＳ１８）、ステップＳ２０において便蓋の開動作を行う。
ここでｎの値は、図１１に示しているように使用者がドップラセンサ２８による検知エリアに入ってから便器の使用位置、即ち便器の直前位置に到るまでの接近移動距離に対応した値で選定されている。
また一方カウント値Ｋがｎに達しない間は、ステップＳ２２においてレベル出力ＡがＨレベルであるかの判定を行う。
【００５２】
そしてステップＳ２２においてレベル出力ＡがＨレベルになったと判定されたとき、ここにおいて使用者有りと判定されてステップＳ２４において便蓋開動作が行われる。
他方ステップＳ２２においてレベル出力ＡがＨレベルでないとき、ステップＳ１０に戻って再び後続の各ステップが実行される。
【００５３】
ここで第１レベルよりも高い第２レベル以上の強度のドップラ信号、つまりレベル出力Ａに基づいて便蓋開動作を行う際、先ずカウント値Ｋがｎ未満であるかどうかを判定しているのは、使用者の接近移動が側方からの接近移動か正面からの接近移動かを正しく判定するためである。
【００５４】
例えば図１１に示しているように使用者が正面から便器に向って接近した場合、ドップラ信号が第２レベルを超えるまでにかなりの距離接近移動しなければならず、その間にドップラ信号の波は多数発生する。
そのときの波数がｎを超えていれば、その使用者の挙動が正面からの接近移動と判定できる。
従ってこの場合、単にドップラ信号の波数のカウント値のみに基づいて使用者の接近を検知することで、十分正確にこれを検知することができる。
【００５５】
一方側方から使用者が接近して来た場合には、第２レベルを超える強い信号強度のドップラ信号が出力されるまで、即ちレベル出力ＡがＨレベルとなるまでの「ドップラ信号の波数」は少ないものであり（ｎ未満）、その状態でレベル出力ＡがＨレベルになったときには、これは使用者が側方から便器に接近したことによるものと判定でき、その場合にはそのレベル出力Ａに基づいてステップＳ２４において便蓋開動作を行うのである。
【００５６】
本例では、図９に示すように便蓋開動作の制御を実行した後、便蓋位置検出手段からの便蓋開情報に基づきドップラセンサユニット２９による検知の感度を低く切り替える（ステップＳ２５，Ｓ２６）。
尚この便座位置検出手段は様々な形態で構成することができる。例えば便座の開，閉に基づいてオンオフするリミットスイッチや光電スイッチ、或いは便蓋を開閉駆動するモータの回転数を検知するセンサ，便蓋の開閉に連動して回転する軸の回転数ないし回転角度位置を検知するセンサ等にてこれを構成することができる。
その切替えは、例えば低周波アンプ４６，４８の増幅率を低くすることによって行うこともできるし、またコンパレータ５０，５２におけるしきい値を高く設定切替えすることによって行うこともできる。
【００５７】
このステップＳ２６において検知の感度を低く切り替えるのは次の理由による。
即ち、便蓋開動作が行われるということは、そのとき図１１に示しているように便器の直前位置に使用者がいることを意味するものであり、従って使用者のその後の動き（直前位置とドップラセンサ２８間での動き）によって得られるドップラ信号は、使用者がドップラセンサ２８の至近距離にいることから非常に強い強度の信号となる。
【００５８】
この場合、使用者が僅かに動いても、大きく動いても図６に示すカウント出力Ａ，カウント出力Ｂ１，Ｂ２は波形として大差のないものとなり、従って小さな動きも大きな動きも同様にカウントしてしまうことになる。
【００５９】
即ち使用者が手等を僅かに動かしたり、体を捻ったりする等の小さな動きをした場合も、便座１６に着座すべく体全体を大きく前方に移動させた場合も同等に検知してしまう。
そこで使用者の僅かな或いは小さな動きを排除し、便座１６に着座しようとする大きな動きだけを正しく検知すべく、このステップＳ２６において検知の感度を低く切り替えるのである。
【００６０】
ステップＳ２６の実行によって感度を低く切り替えた後、ステップＳ２８において移動方向判別を行うとともに、併せてステップＳ３０において波数カウントし、便蓋１８が開いてからの接近方向のドップラ信号の波数或いは離反方向のドップラ信号の波数をカウントする。
【００６１】
そしてステップＳ３２において、接近方向のカウント値と離反方向のカウント値とを加減算し、その結果としての便蓋１８開後の合計のカウント値ｋが接近方向の第２基準カウント値αを超えたか否かがステップＳ３４において判定される。
そしてその判定結果としてカウント値ｋがαを超えていれば、次のステップＳ３６において使用者が便座１６に着座したものと判定される。
【００６２】
一方図１０に示しているように着座判定後においてもドップラセンサ２８による使用者の検知は続行され、使用者にて反射された反射波に基づき発生するドップラ信号の波数カウント及び演算が継続される（ステップＳ３８，Ｓ４０，Ｓ４２）。
【００６３】
そして着座判定後において離反方向の波数のカウント値ｋが着座位置から離反方向にβを超えたところで、使用者が便座１６から離座したものと判定され、再び当初の検出の感度に切り替えられる。ここでαとβとは等しくしておいても良いが、使用者が便器から離れて行くのを見るため、判断する位置を異ならせるべくαとβは異なった値としておくことができる。
【００６４】
尚、使用者は着座判定後において便座１６への着座中に体を動かしたりすることがあり、この場合ドップラ信号の波数のカウントが行われるが、合計としてのカウント値ｋがβを超えない範囲内である限りは着座中とみなすことができる。
【００６５】
尚、使用後において便器１０の使用者が便器１０から正面方向に立ち去ったときにはカウント値Ｋに基づいて一定時間後に便蓋１８を閉動作させる。またそのとき便座１６が開状態であれば、便蓋１８と併せて便座１８を閉動作させる。
一方使用者が側方に立ち去ったときには、カウント値Ｋに基づかないでレベル出力ＡがＬレベルとなることによって、便蓋１８或いは便蓋１８と便座１６とを閉動作させる。
【００６６】
尚、本例においては低周波アンプ４６，４８、コンパレータ５０，５２及びマイコン３０によって移動方向判別手段が構成され、またマイコン３０によりカウント手段が構成されている。
【００６７】
以上のような本例の着座検出装置では、便蓋開情報とドップラセンサ２８からのドップラ信号に基づいて便座１６への使用者の着座を検出するものであるため、精度高くその着座の有無を検出することができる。
【００６８】
以上本発明の実施形態を詳述したがこれはあくまで一例示であり、本発明はその趣旨を逸脱しない範囲において種々変更を加えた形態で構成可能である。
【図面の簡単な説明】
【００６９】
【図１】本発明の一実施形態の着座検出装置を含む洋風便器を示す図である。
【図２】同実施形態におけるドップラセンサからの信号処理のための回路ブロック図である。
【図３】同実施形態における制御手段としてのマイコンを含むブロック図である。
【図４】同実施形態におけるドップラセンサの模式図である。
【図５】図４におけるアンテナの具体的構成を示す図である。
【図６】図２の低周波アンプから出力される信号波形と、コンパレータから出力される矩形波を示す図である。
【図７】図２のレベル出力Ａ，レベル出力Ｂの矩形波を示す図である。
【図８】図３のマイコンによる制御の内容をフローチャートで示す図である。
【図９】図８の制御の後に行われる制御の内容をフローチャートで示す図である。
【図１０】図９の制御の後に行われる制御の内容をフローチャートで示す図である。
【図１１】便器使用に際しての使用者の動きを示す説明図である。
【符号の説明】
【００７０】
１６  便座
１８  便蓋
２８  ドップラセンサ
３８  検知対象
【図１】
2005081033.tif 000003
【図２】
2005081033.tif 000004
【図３】
2005081033.tif 000005
【図４】
2005081033.tif 000006
【図５】
2005081033.tif 000007
【図６】
2005081033.tif 000008
【図７】
2005081033.tif 000009
【図８】
2005081033.tif 000010
【図９】
2005081033.tif 000011
【図１０】
2005081033.tif 000012
【図１１】
2005081033.tif 000013